(57)【要約】【課題】  ユーザの負担を軽減しつつ、一部の処理のパラメータを容易に変更して各々のドキュメント処理を連携実行する。【解決手段】  指示書処理部２６は、指示書の変更可能パラメータが所定の値に設定されているかを判定し、設定されているときは、指示書に記述されたルールＩＤに対応するルールをルール格納部２５から読み出し、このルールと変更可能パラメータとに基づいて、一時ルールを生成する。そして、ジョブ実行部２７は、指示書処理部２６で生成された一時ルールを実行する。【選択図】  図２
2005196404.tif 000002
【特許請求の範囲】
【請求項１】
所定の処理を行う複数のサービスを連携させると共に少なくとも１つのサービスについて変更可能パラメータを含んだルールを記憶するルール記憶手段と、
所定の値に設定済みの変更可能パラメータと、これに対応するルール識別情報と、を受信する受信手段と、
前記受信手段で受信されたルール識別情報に対応するルールを前記ルール記憶手段から読み出し、この読み出したルールと前記所定値に設定済みの変更可能パラメータとに基づいて、前記変更可能パラメータに前記所定値が設定されたときのルールである一時ルールを生成する一時ルール生成手段と、
前記一時ルール生成手段により生成された一時ルールを実行するルール実行手段と、
を備えたルール実行装置。
【請求項２】
前記ルール実行手段は、前記一時ルールの実行後に、前記一時ルールを消去する請求項１に記載のルール実行装置。
【請求項３】
前記一時ルールの実行によってエラーが発生したときに前記一時ルールのパラメータを再設定するための画面を表示する表示手段を更に備えた請求項１または請求項２に記載のルール実行装置。
【請求項４】
コンピュータを、
所定の処理を行う複数のサービスを連携させると共に少なくとも１つのサービスについて変更可能パラメータを含んだルールを記憶するルール記憶手段と、
所定の値に設定済みの変更可能パラメータと、これに対応するルール識別情報と、を受信する受信手段と、
前記受信手段で受信されたルール識別情報に対応するルールを前記ルール記憶手段から読み出し、この読み出したルールと前記所定値に設定済みの変更可能パラメータとに基づいて、前記変更可能パラメータに前記所定値が設定されたときのルールである一時ルールを生成する一時ルール生成手段と、
前記一時ルール生成手段により生成された一時ルールを実行するルール実行手段と、
して機能させるルール実行プログラム。
【請求項５】
前記ルール実行手段は、前記一時ルールの実行後に、前記一時ルールを消去する請求項４に記載のルール実行プログラム。
【請求項６】
前記コンピュータを、
前記一時ルールの実行によってエラーが発生したときに前記一時ルールのパラメータを再設定するための画面を表示する表示手段として更に機能させる請求項４または請求項５に記載のルール実行プログラム。
【発明の詳細な説明】
【技術分野】
【０００１】
本発明は、ルール実行装置及びルール実行プログラムに係り、特にネットワーク上のドキュメント処理に関する様々な機能の連携を表すルールを実行するルール実行装置及びルール実行プログラムに関する。
【背景技術】
【０００２】
スキャナ、ファクシミリ（以下「ＦＡＸ」という。）、複写機、又はこれらを複合した複合機、パーソナルコンピュータ、メールサーバをネットワークで接続して、紙文書と電子情報の共有化を図ったネットワークシステムが提案されている。
【０００３】
このようなネットワークシステムは、原稿を読み取るスキャナ、ペーパーレスＦＡＸ等の入力系からの文書ファイルを取り込み、イメージ加工、文字認識等の処理系を経て、プリンタやメールサーバ等の出力系を介して文書ファイルを外部に配信する。
具体的には、入力から出力までの各々のドキュメント処理（サービス）をネットワーク上で連携して予め定義した順番で実行するワークフローシステムが導入されている。ワークフローシステムは、承認や回覧などオフィスで汎用的に使用されるワークフローを想定して、既存の紙ベースの業務システムをそのまま電子化することによって開発されることが多い（例えば、特許文献１、特許文献２、特許文献３を参照。）。
【特許文献１】特開２００２−９９６８６号公報
【特許文献２】特開２００１−３２５３８９号公報
【特許文献３】特開２００１−１９５２９５号公報
【発明の開示】
【発明が解決しようとする課題】
【０００４】
上述したワークフローシステムでは、通常、スキャン対象となる原稿サイズ、ドキュメントの取り込み先、イメージ加工のフォーマット、プリント出力の原稿サイズや枚数など、サービスに関するのパラメータが決められている。
【０００５】
ところで、ユーザによっては、状況に応じてワークフローの一部のパラメータのみを変更したい場合がある。このような場合、ユーザは、ワークフローを修正したり、最初から作成しなければならず、その負担が非常に大きかった。また、ワークフローを修正した場合であっても、再び、元のワークフローを使用したくなることもあり、ワークフローを頻繁に変更しなければならないこともあった。
【０００６】
本発明は、上述した課題を解決するために提案されたものであり、ユーザの負担を軽減しつつ、一部の処理のパラメータを容易に変更して各々のドキュメント処理を連携するためのルールを実行するルール実行装置及びルール実行プログラムを提供することを目的とする。
【課題を解決するための手段】
【０００７】
本発明に係るルール実行装置は、所定の処理を行う複数のサービスを連携させると共に少なくとも１つのサービスについて変更可能パラメータを含んだルールを記憶するルール記憶手段と、所定の値に設定済みの変更可能パラメータと、これに対応するルール識別情報と、を受信する受信手段と、前記受信手段で受信されたルール識別情報に対応するルールを前記ルール記憶手段から読み出し、この読み出したルールと前記所定値に設定済みの変更可能パラメータとに基づいて、前記変更可能パラメータに前記所定値が設定されたときのルールである一時ルールを生成する一時ルール生成手段と、前記一時ルール生成手段により生成された一時ルールを実行するルール実行手段と、を備えている。
【０００８】
本発明に係るルール実行プログラムは、コンピュータを、所定の処理を行う複数のサービスを連携させると共に少なくとも１つのサービスについて変更可能パラメータを含んだルールを記憶するルール記憶手段と、所定の値に設定済みの変更可能パラメータと、これに対応するルール識別情報と、を受信する受信手段と、前記受信手段で受信されたルール識別情報に対応するルールを前記ルール記憶手段から読み出し、この読み出したルールと前記所定値に設定済みの変更可能パラメータとに基づいて、前記変更可能パラメータに前記所定値が設定されたときのルールである一時ルールを生成する一時ルール生成手段と、前記一時ルール生成手段により生成された一時ルールを実行するルール実行手段と、して機能させる。
【０００９】
記憶手段には、所定の処理を行う複数のサービスを連携させると共に少なくとも１つのサービスについて変更可能パラメータを含んだルールが記憶されている。ルールは、ネットワーク上でドキュメント処理に関する様々なサービスが接続されている場合において、これらのサービスを一連の処理として連携させるための情報をいう。サービスとしては、例えば、コピー、スキャン、プリント、ＯＣＲ、フォーマット変換、メール配信等が該当する。変更可能パラメータとは、デバイスで変更することができるパラメータをいい、例えばメール配信先、ホルダ保存先などがある。なお、ルールのパラメータは、すべて変更可能である。
【００１０】
受信手段は、所定の値に設定済みの変更可能パラメータと、これに対応するルール識別情報と、を受信する。この変更可能パラメータは、例えばユーザによって、所定の値に設定されている。ルール識別情報は、ルール記憶手段に記憶されているルールの中から所望のルールを特定するために使用されるものである。
【００１１】
一時ルール生成手段は、ルール識別情報に対応するルールを前記ルール記憶手段から読み出す。そして、この読み出したルールと所定値に設定済みの変更可能パラメータとに基づいて、一時ルールを生成する。一時ルールは、前記ルール識別情報の示すルールであって、変更可能パラメータに所定値が設定されたときのルールである。そして、ルール実行手段は、この一時ルールを実行する。
【００１２】
したがって、本発明によれば、所定の値に設定済みの変更可能パラメータとこれに対応するルール識別情報とを受信し、ルール識別情報に対応するルールと前記所定値に設定済みの変更可能パラメータとに基づいて、前記変更可能パラメータに前記所定値が設定されたときのルールである一時ルールを生成して、これを実行する。これにより、ルール記憶手段に記憶されているルールを変更することなく、変更可能パラメータの異なるルールを容易に作成して実行することができる。
【発明の効果】
【００１３】
本発明に係るルール実行装置及びルール実行プログラムは、所定の値に設定済みの変更可能パラメータとこれに対応するルール識別情報とを受信し、ルール識別情報に対応するルールと前記所定値に設定済みの変更可能パラメータとに基づいて、前記変更可能パラメータに前記所定値が設定されたときのルールである一時ルールを生成して、これを実行することにより、ルール記憶手段に記憶されているルールを変更することなく、変更可能パラメータの異なるルールを容易に作成して実行することができる。
【発明を実施するための最良の形態】
【００１４】
以下、本発明の好ましい実施の形態について図面を参照しながら詳細に説明する。
【００１５】
［システムの構成］
図１は、本発明の実施の形態に係るフローサービスシステムの概略的な構成を示す図である。フローサービスシステムとは、ドキュメントに対して各々所定の処理を行うサービス（プラグイン）をネットワーク上で接続させた状態において、ドキュメントの取り込み、加工、配信を一連の連携処理として実行するシステムをいう。ドキュメントは、文書に関するデータであるが、取込、加工、配信の各々の状態に応じてイメージデータやテキストデータを含むものであってもよく、特に限定されるものではない。ここで、サービスの連携処理を自動化／定型化するための定義したものを「ルール」という。なお、サービスとは、ドキュメントに関する所定の処理（機能）のことをいう。
【００１６】
上記フローサービスシステムは、プリント、スキャン、ファクシミリ、転送、指示書の解釈などの各機能を兼ね備えた複合機１０と、複合機１０にない機能（例えば、ＯＣＲ（Ｏｐｔｉｃａｌ  Ｃｈａｒａｃｔｅｒ  Ｒｅｃｏｇｎｉｔｉｏｎ）、イメージ加工、フォーマット変換などの機能）を有し、様々なルールを記憶している処理サーバ２０と、を備えている。
【００１７】
複合機１０、処理サーバ２０は、ネットワーク５を介して相互に接続されている。処理サーバ３０は、上述したサービスに限らず、他のサービスを実行するようにしてもよい。なお、ネットワーク５には、上記のほかに、プリンタ、スキャナ、ファクシミリ装置、アプリケーションプログラムがインストールされたコンピュータがそれぞれ接続されてもよい。
【００１８】
ここで、複合機１０は、処理サーバ２０に記憶されているルールの中から所望のルールを実行するように指示するための指示書を記憶している。指示書とは、複合機１０におけるサービスや処理サーバ２０におけるサービスの呼び出しが記述された情報をいう。そして、複合機１０は、指示書の実行時には、ジョブを発行し、指示書及びジョブに基づいて、内部でサービスを実行したり、処理サーバ２０にサービスを実行させるときはジョブ及び指示書を処理サーバ２０に送信する。
【００１９】
一方、処理サーバ２０は、指示書及びジョブを受信すると、処理要求の対象となるルールを実行し、その処理結果を複合機１０に通知する。
【００２０】
図２は、フローサービスシステムの構成を示すブロック図である。ここでは、指示書とルールに関するブロックのみを説明する。
【００２１】
複合機１０は、指示書の送受信やジョブの送信などを行う送受信部１１と、指示書の選択、変更可能パラメータの設定、指示書の実行を指示するためにユーザが操作する操作部１２と、多くの指示書を格納する指示書格納部１３と、ジョブを発行するジョブ発行部１４と、指示書格納部１３に格納されている複数の指示書や変更可能パラメータなどを表示する表示パネル１５と、を備えている。ここで、変更可能パラメータとは、デバイスで変更することができるパラメータをいい、例えばメール配信先、ホルダ保存先などがある。なお、ルールのパラメータは、すべて変更可能である。
【００２２】
送受信部１１は、ネットワーク５に接続され、処理サーバ２０との間で、指示書、ジョブ、処理結果通知などの様々な情報の送受信を行う。操作部１２は、ユーザの操作に従って、例えば、指示書格納部１３に格納されている多数の指示書から所定の指示書を選択し、変更可能パラメータを設定した後、指示書の実行開始を指示する。
【００２３】
ジョブ発行部１４は、操作部１２を介して指示書の実行開始が指示されると、指示書格納部１３からその指示書を読み出し、その指示書を解析する。そして、ジョブ発行部１４は、ジョブを発行した後、指示書に記述された順に、例えば、当該複合機１０にサービスを実行させたり、処理サーバ２０にサービスを実行させるときは処理サーバ２０に指示書及びジョブを送信する。
【００２４】
図３は、指示書格納部１３に格納されている指示書の構成を示す図である。指示書には、指示書ＩＤ、ルールＩＤ及び変更可能パラメータが記述されている。指示書ＩＤは、当該指示書を識別するための情報である。なお、指示書は、１つのルールに限らず、複数のルールの実行も指示できる。複数のルールの実行を指示する場合には、指示書には、複数のルールＩＤが記述されている。
【００２５】
ルールＩＤは、いわゆるリファレンスＩＤであり、処理すべきルールを特定するための情報である。すなわち、指示書には、対象となるルールのすべての処理内容が記述されているのではなく、ルールＩＤが記述されている。
【００２６】
ルールＩＤ：００１には、変更可能パラメータｘが対応付けられている。これは、ルールＩＤ：００１のルールを実行するにあたり、変更可能パラメータｘはユーザによって設定可能であることを示している。なお、変更可能パラメータｘは、ユーザによって設定されない場合、所定のデフォルト値に設定される。
【００２７】
同様に、ルールＩＤ：００２には、変更可能パラメータｙが対応付けられている。なお、ルールＩＤに対応付けられる変更可能パラメータは、１つに限らず、複数であってもよい。
【００２８】
一方、処理サーバ２０は、図２に示すように、指示書の送受信やジョブの受信などを行う送受信部２１と、ユーザが指示書作成やルール作成などのために操作する操作部２２と、ディスプレイ２３と、ルールを管理するルール管理部２４と、ルールを格納するルール格納部２５と、指示書の作成又は実行処理などを行う指示書処理部２６と、ジョブを実行するジョブ実行部２７と、を備えている。
【００２９】
送受信部２１は、ネットワーク５に接続され、複合機１０との間で、指示書、ジョブ、処理結果通知などの様々な情報の送受信を行う。操作部２２は、ユーザの操作に従って、例えば、ルールの作成をルール管理部２４に指示したり、指示書の作成を指示書処理部２６に指示する。ディスプレイ２３には、例えば、ルールや指示書の作成・編集時におけるＧＵＩ（Ｇｒａｐｈｉｃａｌ  Ｕｓｅｒ  Ｉｎｔｅｒｆａｃｅ）画面が表示される。
【００３０】
ルール管理部２４は、例えば、操作部２２を介してルールの作成が指示されると、操作部２２の操作内容に応じてルールを作成し、このルールをルール格納部２５に格納する。また、ルール管理部２４は、操作部２２を介して、複数のルールの連携実行を指示する内容の指示書の作成が指示されると、対象となるルールをルール格納部２５から読み出して、それらのルールを指示書処理部２６に供給する。
【００３１】
図４は、ルール格納部２５に格納されているルールの構成を示す図である。ルール格納部２５は、ルール毎に、ルールを識別するためのルールＩＤ、様々なサービスを連携させるための処理内容、変更可能パラメータを格納している。
【００３２】
変更可能パラメータは、対応付けられているルールを実行するにあたり、ユーザが任意に設定できるパラメータである。変更可能パラメータは、ユーザによって設定されない場合、所定のデフォルト値に設定される。図４では、ルールＩＤ：００１については変更可能パラメータｘ、ルールＩＤ：００２については変更可能パラメータｙ、ルールＩＤ：００３については変更可能パラメータｚ及びｔが対応付けられている。
【００３３】
指示書処理部２６は、複合機１０から指示書及びジョブが送信されたときは、指示書のルールＩＤに対応するルールをルール格納部２５から読み出し、読み出したルールをジョブ実行部２７に供給する。そして、ジョブ実行部２７は、指示書処理部２６を介して、ルール格納部２５から読み出されたルールを実行することで、指示書に記述された連携サービスを実行する。
【００３４】
また、指示書処理部２６は、操作部２２を介して指示書の作成が指示されたときは、ルール格納部２５から読み出されたルールのルールＩＤを用いて、図３に示したような指示書を作成する。この指示書は、送受信部２１を介して、複合機１０に送信される。これにより、処理サーバ２０は、複合機１０に対して、変更可能パラメータに関する情報を報知することができる。
【００３５】
［指示書の実行］
以上のように構成されたフローサービスシステムにおいて、複合機１０は、次に説明するように、遠隔（処理サーバ２０と異なる場所）から、容易に、変更可能パラメータを設定したジョブを発行することができる。換言すると、ユーザは、指示書に変更可能パラメータが記述されていたときは、変更可能パラメータに所望の値を設定して、フローサービスシステムにその指示書を実行させることができる。
【００３６】
具体的には、ユーザは、複合機１０の表示パネル１５に表示されている複数の指示書から、操作部１２を操作することで、所望の指示書を選択すると共に変更可能パラメータを設定する。そして、ジョブ発行部１４は、操作部１２を介して指示書の実行開始が指示されると、指示書に変更可能パラメータの値を設定して、この指示書を実行するためのジョブを発行する。
【００３７】
図５は、変更可能パラメータが設定されているときの指示書を示す図である。本実施形態では、同図に示すように、ルールＩＤ：００１の変更可能パラメータｘには“ｓｓｓ”が、ルールＩＤ：００２の変更可能パラメータｙには“ｔｔｔ”が設定されている。ジョブ発行部１４は、送受信部１１を介して、この指示書及びジョブを処理サーバ２０に送信する。
【００３８】
図６は、指示書実行時における処理サーバ２０の各部の処理手順を示すフローチャートである。処理サーバ２０は、複合機１０から送信された指示書を実行すべく、次のステップＳＴ１以降の処理を実行する。
【００３９】
ステップＳＴ１では、処理サーバ２０の送受信部２１は、指示書を受信したか否かを判定し、指示書を受信するまで待機する。そして、送受信部２１は、指示書を受信すると、これを指示書処理部２６供給して、ステップＳＴ２に移行する。
【００４０】
ステップＳＴ２では、指示書処理部２６は、指示書を解析し、ルール格納部２５に格納されているルールの中で、指示書に記述されたルールＩＤと同じルールＩＤのルールが存在するかを判定する。そして、指示書処理部２６は、同じルールＩＤがあるとき（肯定判定Ｙのとき）は、そのルールＩＤ（本実施形態では“００１”及び“００２”）を有するルールをルール格納部２５から読み出して、ステップＳＴ３に移行する。なお、同じルールＩＤがないとき（否定判定Ｎのとき）は、ルール実行処理を終了する。
【００４１】
ステップＳＴ３では、指示書処理部２６は、指示書の変更可能パラメータが所定の値に設定されているかを判定し、設定されているとき（肯定判定Ｙのとき）はステップＳＴ５に移行する。一方、指示書の変更可能パラメータが所定の値に設定されているとき、又は変更可能パラメータが存在しないとき（否定判定Ｎのとき）は、ステップＳＴ４に移行する。
【００４２】
ステップＳＴ４では、指示書処理部２６は、指示書に記述されたルールＩＤに対応するルールをルール格納部２５から読み出す。そして、ジョブ実行部２７は、指示書処理部２６を介して、ルール格納部２５から読み出されたルールを実行することで、指示書に記述された連携サービスを実行する。
【００４３】
一方、ステップＳＴ５では、指示書処理部２６は、指示書に記述されたルールＩＤに対応するルールをルール格納部２５から読み出し、このルールと所定値設定済みの変更可能パラメータとに基づいて、一時ルールを生成する。指示書処理部２６は、一時ルールを生成することにより、元のルールを変更する手間を省略することができる。
【００４４】
図７はルールＩＤ：００１の一時ルール（ルールＩＤ：００１＋）を示す図であり、  図８はルールＩＤ：００２の一時ルール（ルールＩＤ：００２＋）を示す図である。なお、“＋”は一時ルールであることを表している。このように、一時ルールは、変更可能パラメータに所定の値が設定されている状態のルールである。そして、指示書処理部２６は、これらの一時ルールをジョブ実行部２７に供給して、ステップＳＴ６に移行する。
【００４５】
ステップＳＴ６では、ジョブ実行部２７は、指示書処理部２６で生成された一時ルール（ルールＩＤ：００１＋，００２＋）に基づいて、様々な連携サービスを実行し、このときの処理結果を、送受信部２１を介して複合機１０に通知する。そして、これらの一時ルールを消去して、処理を終了する。なお、ジョブ実行後も一時ルールを保持し、ユーザにより対応するジョブの削除の指示が行われると、そのジョブに対応する一時ルールを消去するように構成してもよい。
【００４６】
ジョブ実行部２７は、一時ルールのジョブにエラーが発生した場合、変更可能パラメータを再設定するための画面であるジョブ一覧画面をディスプレイ２３に表示させる。
【００４７】
図９は、ディスプレイ２３に表示されたジョブ一覧画面を示す図である。ユーザは、操作部２２を操作することで、ジョブ一覧画面の中から一時ジョブ（図中の点線で囲われた部分）を選択し、変更可能パラメータの設定値を変更することができる。これにより、変更可能パラメータの変更ミスによってエラーが発生した場合でも、そのエラーを解消することができる。ジョブ一覧画面では、変更可能パラメータ以外のパラメータについても変更可能である。
【００４８】
なお、ルール管理部２４は、オリジナルルール、すなわちルール格納部２５に格納されているルールが変更された場合、そのオリジナルルールに対応する一時ルールのジョブが実行されていないかを検索し、ディスプレイ２３を介して、マージを行うかをユーザに問い合わせしてもよい。ユーザが操作部２２を介してマージを行うことを指示した場合、指示書処理部２６は、変更可能パラメータとオリジナルルールから変更されたルールとをマージして、一時ルールを生成すればよい。
【００４９】
以上のように、本発明の実施の形態に係るフローサービスシステムは、変更可能パラメータを有する基本となるオリジナルルールを予め記憶しておき、ユーザによって変更可能パラメータが設定された場合には、その設定内容を反映した一時ルールを生成する。これにより、フローサービスシステムは、ルールのパラメータの変更が必要な場合であっても新たなルールを作成することなく、簡単にジョブを発行することができる。
【００５０】
さらに、フローサービスシステムは、オリジナルルールを変更することなく、変更可能パラメータのみ異なるルールを、容易に作成することができる。また、フローサービスシステムは、変更可能パラメータに関する情報を処理サーバ２０から複合機１０に報知することにより、複合機１０において変更可能パラメータのみ異なるルールを実行することができる。
【００５１】
なお、本発明は、上述した実施の形態に限定されるものではなく、特許請求の範囲に記載された範囲内で設計上の変更をされたものにも適用可能であるのは勿論である。
【００５２】
上述した実施形態では、複合機１０を例に挙げて説明したが、デバイスはこれに限定されるものではない。例えば、複合機１０に代わるデバイスとして、プリンタ、スキャナ、ファクシミリ装置、アプリケーションプログラムがインストールされたコンピュータなどであってもよい。
【００５３】
また、上述したステップＳＴ１からステップＳＴ６までの処理を実行するプログラムをコンピュータにインストールしてもよい。これにより、上記コンピュータは、処理サーバ２０として機能し、上述したステップＳＴ１からステップＳＴ６までの処理を実行することができる。
【００５４】
なお、上記プログラムは、通信回線を介して伝送されたものでもよいし、光ディスク、磁気ディスク、半導体メモリなどの記録媒体に記録されたものであってもよいのは勿論である。
【図面の簡単な説明】
【００５５】
【図１】本発明の実施の形態に係るフローサービスシステムの概略的な構成を示す図である。
【図２】フローサービスシステムの構成を示すブロック図である。
【図３】指示書格納部に格納されている指示書の構成を示す図である。
【図４】ルール格納部に格納されているルールの構成を示す図である。
【図５】変更可能パラメータが設定されているときの指示書を示す図である。
【図６】指示書実行時における処理サーバの各部の処理手順を示すフローチャートである。
【図７】ルールＩＤ：００１の一時ルールを示す図である。
【図８】ルールＩＤ：００２の一時ルールを示す図である。
【図９】ディスプレイに表示されたジョブ一覧画面を示す図である。
【符号の説明】
【００５６】
１０  複合機
１１  送受信部
１２，２２  操作部
１３  指示書格納部
１４  ジョブ発行部
１５  表示パネル
２０  処理サーバ
２１  送受信部
２３  ディスプレイ
２４  ルール管理部
２５  ルール格納部
２６  指示書処理部
２７  ジョブ実行部
【図１】
2005196404.tif 000003
【図２】
2005196404.tif 000004
【図３】
2005196404.tif 000005
【図４】
2005196404.tif 000006
【図５】
2005196404.tif 000007
【図６】
2005196404.tif 000008
【図７】
2005196404.tif 000009
【図８】
2005196404.tif 000010
【図９】
2005196404.tif 000011